(57)【要約】【課題】操作者の手の移動距離を最短にし、操作感を向上させるとともに、操作による疲労を軽減することが可能な測定装置及び測定方法を提供する。【解決手段】筐体と、当該筐体に設けられたタッチパネル式表示部１１と、タッチパネル式表示部１１の表示を制御する表示制御部１７と、を備え、表示制御部１７は、タッチ操作により選択可能な選択可能領域をタッチパネル式表示部１１の表示画面に表示させる選択可能領域表示制御部１７ｂと、選択可能領域を選択するためのポインタをタッチパネル式表示部１１の表示画面に表示させるポインタ表示制御部１７ｃと、ポインタを移動させて選択可能領域を選択するための仮想操作領域を、タッチパネル式表示部１１の表示画面内の外周部分に表示させる仮想操作領域表示制御部１７ｄと、を有する。【選択図】図１
2015176582.tif 000002
【特許請求の範囲】
【請求項１】
筐体（２０）と、当該筐体に設けられたタッチパネル式表示部（１１）と、当該タッチパネル式表示部の表示を制御する表示制御部（１７）と、を備える測定装置（１）であって、
前記表示制御部は、
タッチ操作により選択可能な選択可能領域（２８〜３０）を前記タッチパネル式表示部の表示画面に表示させる選択可能領域表示制御部（１７ｂ）と、
前記選択可能領域を選択するためのポインタ（２６）を前記タッチパネル式表示部の表示画面に表示させるポインタ表示制御部（１７ｃ）と、
タッチ操作により前記ポインタを移動させて前記選択可能領域を選択するための仮想操作領域（２７）を、前記タッチパネル式表示部の表示画面内の外周部分に表示させる仮想操作領域表示制御部（１７ｄ）と、を有することを特徴とする測定装置。
【請求項２】
前記仮想操作領域表示制御部は、操作者の手が前記筐体に触れた状態で、前記タッチパネル式表示部の表示画面上の操作者の親指が届く範囲に、前記仮想操作領域の少なくとも一部を表示させることを特徴とする請求項１に記載の測定装置。
【請求項３】
前記筐体は、操作者の手を置くための手置き部（２０ａ）を有し、
前記仮想操作領域表示制御部は、操作者の手が前記手置き部に触れた状態で、前記タッチパネル式表示部の表示画面上の操作者の親指が届く範囲に、前記仮想操作領域の少なくとも一部を表示させることを特徴とする請求項１に記載の測定装置。
【請求項４】
前記筐体に設けられて特定の機能が割り当てられた複数のハードキー（２１〜２３）をさらに含み、
前記仮想操作領域表示制御部は、前記複数のハードキーのうち特定のハードキーの近傍において、前記仮想操作領域を前記タッチパネル式表示部の表示画面に表示させることを特徴とする請求項１から請求項３のいずれか一項に記載の測定装置。
【請求項５】
前記仮想操作領域は、仮想タッチパッド部（２７ａ）と、仮想リボンコントローラ部（２７ｂ，２７ｃ）と、を有することを特徴とする請求項１から請求項４のいずれか一項に記載の測定装置。
【請求項６】
前記タッチパネル式表示部の表示画面は、前記筐体が載置される載置面に対して垂直を成すことを特徴とする請求項１から請求項５のいずれか一項に記載の測定装置。
【請求項７】
請求項１から請求項６のいずれか一項に記載の測定装置を用いる測定方法であって、
タッチ操作により選択可能な選択可能領域（２８〜３０）を前記タッチパネル式表示部の表示画面に表示させる選択可能領域表示段階と、
前記選択可能領域を選択するためのポインタ（２６）を前記タッチパネル式表示部の表示画面に表示させるポインタ表示段階と、
タッチ操作により前記ポインタを移動させて前記選択可能領域を選択するための仮想操作領域（２７）を、前記タッチパネル式表示部の表示画面内の外周部分に表示させる仮想操作領域表示段階と、を含むことを特徴とする測定方法。
【発明の詳細な説明】
【技術分野】
【０００１】
本発明は、測定装置及び測定方法に関し、特にタッチパネル式の表示部を備える測定装置に関する。
【背景技術】
【０００２】
近年、携帯情報処理端末、カーナビゲーション装置、ゲーム機器などの様々な電子機器において、タッチパネルが採用され始めてきており、計測器もその例外ではない（例えば、特許文献１参照）。
【０００３】
特許文献１に開示された装置は、表示画面の全面にタッチパネルが配置された計測器の測定パラメータの値を変更する際に、その操作状況に応じてソフトキーを表示画面上の所定位置に表示するものである。この装置は、操作者がタッチパネルを介してソフトキーを操作することにより、測定パラメータを変更するなどの処理を実行できるようになっている。
【０００４】
また、従来より計測器には、表示画面の近傍に特定の機能が割り当てられたファンクションキーが設けられている（例えば、特許文献２参照）。特許文献２に開示された装置においては、ファンクションキーは筐体に設けられたハードキーであり、表示画面に表示されたファンクションメニューの各メニュー項目を指示するために用いられる。
【０００５】
計測器は設定項目が多いため、ファンクションキーにより操作する頻度が高く、多くの操作者は筐体に手を掛けてファンクションキーを親指で操作するスタイルを採っている。タッチパネルとファンクションキーとを備えた計測器においても、多くの操作者が上記のような操作スタイルを採ると考えられる。
【先行技術文献】
【特許文献】
【０００６】
【特許文献１】特開２０１１−１８０１２７号公報
【特許文献２】国際公開第２００３／０１２６１３号
【発明の概要】
【発明が解決しようとする課題】
【０００７】
しかしながら、特許文献１，２に開示されたような従来の計測器は、机などの載置台に載置されるものであるため、使用時にはタッチパネル式の表示画面が載置面に対して垂直になっている。このため、任意に表示画面の角度を変えて担持可能なタブレットやスマートフォンなどの携帯端末のように指を下に向けて操作することができず、手に負担がかかるという問題がある。
【０００８】
また通常、片手の親指のみで計測器のタッチパネル式の表示画面の全範囲をカバーすることは難しいため、操作者の手はタッチパネル式の表示画面の操作ポジションとハードインターフェイス（ファンクションキーやロータリノブ）の操作ポジションを行き来することとなり、操作者が手を移動させる距離が大きくなる。
【０００９】
特許文献１に開示された装置は、ソフトキーをタッチパネル式の表示画面に表示することにより、設定項目にアクセスしやすくなってはいるが、依然として物理的に手を定位置から動かしてタッチパネル又はマウスを使う必要がある。
【００１０】
本発明は、このような従来の課題を解決するためになされたものであって、操作者の手の移動距離を最短にし、操作感を向上させるとともに、操作による疲労を軽減することが可能な測定装置及び測定方法を提供することを目的とする。
【課題を解決するための手段】
【００１１】
上記課題を解決するために、本発明の請求項１の測定装置は、筐体と、当該筐体に設けられたタッチパネル式表示部と、当該タッチパネル式表示部の表示を制御する表示制御部と、を備える測定装置であって、前記表示制御部は、タッチ操作により選択可能な選択可能領域を前記タッチパネル式表示部の表示画面に表示させる選択可能領域表示制御部と、前記選択可能領域を選択するためのポインタを前記タッチパネル式表示部の表示画面に表示させるポインタ表示制御部と、タッチ操作により前記ポインタを移動させて前記選択可能領域を選択するための仮想操作領域を、前記タッチパネル式表示部の表示画面内の外周部分に表示させる仮想操作領域表示制御部と、を有することを特徴とする。
【００１２】
この構成により、タッチパネル式表示部の表示画面内の外周部分にポインタを移動させるための仮想操作領域が表示されるため、操作者の手の移動距離を最短にし、操作感を向上させるとともに、操作による疲労を軽減することが可能な測定装置を実現できる。
【００１３】
また、本発明の請求項２の測定装置においては、前記仮想操作領域表示制御部は、操作者の手が前記筐体に触れた状態で、前記タッチパネル式表示部の表示画面上の操作者の親指が届く範囲に、前記仮想操作領域の少なくとも一部を表示させることを特徴とする。
【００１４】
この構成により、操作者の手の移動距離を最短にし、親指のみで各種操作を行うことが可能となる。
【００１５】
また、本発明の請求項３の測定装置においては、前記筐体は、操作者の手を置くための手置き部を有し、前記仮想操作領域表示制御部は、操作者の手が前記手置き部に触れた状態で、前記タッチパネル式表示部の表示画面上の操作者の親指が届く範囲に、前記仮想操作領域の少なくとも一部を表示させることを特徴とする。
【００１６】
この構成により、操作者の手が筐体の特定の箇所にほぼ固定された状態で、親指のみで各種操作を行うことが可能となる。
【００１７】
また、本発明の請求項４の測定装置は、前記筐体に設けられて特定の機能が割り当てられた複数のハードキーをさらに含み、前記仮想操作領域表示制御部は、前記複数のハードキーのうち特定のハードキーの近傍において、前記仮想操作領域を前記タッチパネル式表示部の表示画面に表示させることを特徴とする。
【００１８】
この構成により、操作者の手の移動距離を最短にし、親指のみで主要な機能を実行することが可能となる。
【００１９】
また、本発明の請求項５の測定装置においては、前記仮想操作領域は、仮想タッチパッド部と、仮想リボンコントローラ部と、を有することを特徴とする。
【００２０】
この構成により、通常のマウスやロータリノブの機能をタッチパネル上で実現することができる。さらに、筐体上にタッチパッドやロータリノブを設ける必要がなくなるため、筐体前面のタッチパネル式表示部以外の領域の面積を減少させて、小型の測定装置を実現することができる。
【００２１】
また、本発明の請求項６の測定装置においては、前記タッチパネル式表示部の表示画面は、前記筐体が載置される載置面に対して垂直を成すことを特徴とする。
【００２２】
この構成により、タッチパネル式表示部の表示画面が載置面に対して傾斜していないため、タッチパネル式表示部に可動部を持たせることなく強固に筐体に組み込むことが可能となるとともに、筐体の前方に傾斜に起因する余分なスペースを生じさせることがない。
【００２３】
また、本発明の請求項７の測定方法は、上記の測定装置を用いる測定方法であって、タッチ操作により選択可能な選択可能領域を前記タッチパネル式表示部の表示画面に表示させる選択可能領域表示段階と、前記選択可能領域を選択するためのポインタを前記タッチパネル式表示部の表示画面に表示させるポインタ表示段階と、タッチ操作により前記ポインタを移動させて前記選択可能領域を選択するための仮想操作領域を、前記タッチパネル式表示部の表示画面内の外周部分に表示させる仮想操作領域表示段階と、を含むことを特徴とする。
【発明の効果】
【００２４】
本発明は、タッチパネル式表示部の表示画面内の外周部分にポインタを移動させるための仮想操作領域が表示されるため、操作者の手の移動距離を最短にし、操作感を向上させるとともに、操作による疲労を軽減することが可能な測定装置及び測定方法を提供する。
【図面の簡単な説明】
【００２５】
【図１】本発明の実施形態としての測定装置の構成を示すブロック図である。
【図２】本発明の実施形態としての測定装置を正面方向から示す斜視図である。
【図３】本発明の実施形態としての測定装置のタッチパネル式表示部における仮想操作領域の機能を示す正面図である。
【図４】本発明の実施形態としての測定装置のタッチパネル式表示部に設けられたタッチパネルが操作される状態を示す斜視図である。
【図５】本発明の実施形態としての測定装置のタッチパネル式表示部における仮想操作領域の表示位置を示す正面図である。
【発明を実施するための形態】
【００２６】
以下、本発明に係る測定装置及び測定方法の実施形態について、図面を用いて説明する。
【００２７】
図１に示すように、本発明の実施形態としての測定装置１は、被試験デバイス１００に対して各種測定を行うためのものであり、タッチパネル式表示部１１、入力部１２、制御部１３、信号生成部１４、信号解析部１５、入出力部１６、及び表示制御部１７を備えている。
【００２８】
被試験デバイス１００は、例えばルータ、スイッチングハブ、伝送装置などのネットワーク機器、あるいは、例えば携帯電話などの無線端末機器である。
【００２９】
タッチパネル式表示部１１は、筐体２０に設けられたＬＣＤやＣＲＴなどの表示機器の表面にタッチパネルが形成されたものであり、表示制御部１７からの制御信号に基づいて、測定結果の表示や、測定条件などを設定するためのソフトキー、プルダウンメニュー、テキストボックスなどの操作対象の表示を行うようになっている。
【００３０】
図２に示すように、入力部１２は、タッチパネル式表示部１１に設けられたタッチパネル１１ａと、筐体２０に設けられ、ファンクションキー２１、カーソルキー２２、テンキー２３などの特定の機能が割り当てられた複数のハードキーと、ロータリノブ２４と、を含む。なお、テンキーや各種設定キーを備えたキーボードやマウスなどの入力装置を別途測定装置１に接続することも可能である。入力部１２や入力装置による入力操作は、制御部１３により検知されるようになっている。
【００３１】
タッチパネル式表示部１１は、表示画面の各位置のうち指で触れられた位置の情報を検出できるようになっており、その検出結果は制御部１３に出力されるようになっている。タッチパネル式表示部１１の表示画面は、筐体２０が載置される机などの載置台の載置面に対して垂直になるように配置されている。あるいは、タッチパネル式表示部１１の表示画面は、載置面に対して所定の角度を成して傾斜するように配置されていてもよい。
【００３２】
制御部１３は、例えばＣＰＵ、ＲＯＭ、ＲＡＭなどを含むマイクロコンピュータで構成され、測定装置１を構成する各部の駆動制御を行うようになっている。また、制御部１３は、操作者が入力部１２を操作して設定する測定項目に基づき、当該測定項目に対応する測定を信号生成部１４及び信号解析部１５に行わせるための制御信号を、信号生成部１４及び信号解析部１５にそれぞれ出力するようになっている。
【００３３】
信号生成部１４は、被試験デバイス１００用の試験信号を生成し、当該試験信号を入出力部１６を介して被試験デバイス１００に送信するようになっている。
【００３４】
信号解析部１５は、信号生成部１４から出力された上記の試験信号を入出力部１６を介して被試験デバイス１００から受信し、当該受信した試験信号から、設定された測定項目に対応した情報を抽出して、それらを解析するようになっている。
【００３５】
入出力部１６は、被試験デバイス１００と測定装置１とを接続するための端子１６ａ，１６ｂを有している。
【００３６】
表示制御部１７は、主表示制御部１７ａ、選択可能領域表示制御部１７ｂ、ポインタ表示制御部１７ｃ、及び仮想操作領域表示制御部１７ｄを有し、タッチパネル式表示部１１の表示を制御するようになっている。
【００３７】
主表示制御部１７ａは、図２に示すように、タッチパネル式表示部１１に、試験信号に応じた被試験デバイス１００からの出力信号に対する信号解析部１５の信号解析結果１５ａを表示させる制御を行うようになっている。
【００３８】
選択可能領域表示制御部１７ｂは、後述の仮想操作領域２７の操作を含むタッチパネル１１ａ上のタッチ操作により選択可能な選択可能領域２８〜３０を、タッチパネル式表示部１１の表示画面全体の任意の位置に表示させるようになっている。ここで、選択可能領域２８〜３０とは、操作者が表示項目の選択や設定の変更を行うための領域であって、例えば、ソフトキー２８、テキストボックス２９、プルダウンメニュー３０などの操作対象から成る。
【００３９】
ソフトキー２８は、例えば測定開始、測定条件の設定、測定データの出力などの処理を実行するためのものである。テキストボックス２９は、測定に関わるパラメータを設定するためのものであり、パラメータの数値を直接入力することができるようになっている。また、プルダウンメニュー３０は測定に関わるパラメータを選択可能に表示するようになっている。
【００４０】
ポインタ表示制御部１７ｃは、選択可能領域２８〜３０を選択するためのポインタ２６をタッチパネル式表示部１１の表示画面に表示させるようになっている。なお、ポインタ表示制御部１７ｃは、特定のソフトキー又は特定のハードキーが押下されたことを条件として、ポインタ２６の表示のオン／オフを切り替えることができるようになっていてもよい。
【００４１】
仮想操作領域表示制御部１７ｄは、タッチ操作によりポインタ２６を移動させて選択可能領域２８〜３０を選択するための仮想操作領域２７を、タッチパネル式表示部１１の表示画面内の外周部分に表示させるようになっている。
【００４２】
例えば、仮想操作領域表示制御部１７ｄは、複数のハードキーのうち特定のハードキーの近傍において、仮想操作領域２７をタッチパネル式表示部１１に表示させるようになっている。ここで、特定のハードキーとは、例えばファンクションキー２１などの使用頻度の高いキーを意味する。
【００４３】
なお、ファンクションキーなどの使用頻度の高いキーは、ハードキーとして搭載されているとは限らず、ソフトキーとしてタッチパネル式表示部１１の表示画面上に表示されていてもよい。この場合には、仮想操作領域２７は、使用頻度の高いソフトキーの近傍に表示されることが好ましい。
【００４４】
仮想操作領域２７は、例えば、仮想タッチパッド部２７ａと、仮想リボンコントローラ部２７ｂ，２７ｃと、を有する。仮想タッチパッド部２７ａは、上述のようなポインタ２６を移動させる機能と、その他の通常のタッチパッドの機能を有する。ここで、通常のタッチパッドの機能とは、クリック、ダブルクリック、ドラッグなどの機能を含む。
【００４５】
具体的には、ポインタ２６は、仮想タッチパッド部２７ａ又はカーソルキー２２などのハードキーの操作により、タッチパネル式表示部１１の表示画面上を移動可能である。所定の選択可能領域２８〜３０上にポインタ２６が移動した状態で、仮想タッチパッド部２７ａが例えば「クリック操作」されることにより、所定の選択可能領域２８〜３０が選択されて、表示項目の選択や設定の変更などの所定の機能が実行されることとなる。
【００４６】
なお、制御部１３において、シングルタッチ対応のソフトウェアが実行されている場合には、仮想タッチパッド部２７ａに対する「シングルタップ」は、例えば通常のマウスにおける「クリック操作」として制御部１３に検知される。また、仮想タッチパッド部２７ａに対する「ダブルタップ」は、通常のマウスにおける「ダブルクリック操作」として制御部１３に検知される。また、仮想タッチパッド部２７ａに対する「スライド」は、通常のマウスにおける「ドラッグ操作」として制御部１３に検知される。
【００４７】
また、制御部１３において、マルチタッチ対応のソフトウェアが実行されている場合には、例えば「シングルタップ」を「タッチ」、「タップ後スライド」を「スライド」、「ダブルタップ」を「２本指のタッチ」、「ダブルタップ後スライド」を「２本指でスライド」などの操作に置き換えることができる。
【００４８】
制御部１３は、図３に示すように、タッチパネル式表示部１１の表示画面におけるポインタ２６の絶対位置を指定することが可能な「絶対位置指定モード」（ａ）、あるいはポインタ２６の相対位置を指定することが可能な「相対位置指定モード」（ｂ）で仮想タッチパッド部２７ａを動作させるようになっている。
【００４９】
ここで、仮想タッチパッド部２７ａの縦方向のサイズは、タッチパネル式表示部１１の表示画面の縦方向のサイズの１／αｙの大きさである。また、仮想タッチパッド部２７ａの横方向のサイズは、タッチパネル式表示部１１の表示画面の横方向のサイズの１／αｘの大きさである。図３において、タッチパネル式表示部１１の表示画面の三隅Ａ，Ｂ，Ｃはそれぞれ、仮想タッチパッド部２７ａの三隅ａ，ｂ，ｃに対応している。
【００５０】
図３（ａ）は「絶対位置指定モード」で仮想タッチパッド部２７ａが動作する場合を示している。図３（ａ）は、操作者が仮想タッチパッド部２７ａ上の位置ｄに指を触れたことにより、ポインタ２６がタッチパネル式表示部１１の表示画面上の位置Ｄに表示された状況を示している。位置Ｂと位置ｂをそれぞれ原点とした２つのｘｙ座標を想定すると、位置Ｄの座標（Ｄ１，Ｄ２）に対し、位置ｄの座標は（ｄ１，ｄ２）＝（Ｄ１／αｘ，Ｄ２／αｙ）となる。
【００５１】
また、仮想タッチパッド部２７ａにおいて、操作者の指が位置ｄ（ｄ１，ｄ２）から位置ｄ'（ｄ１'，ｄ２'）に移動した場合には、ポインタ２６が位置Ｄから位置Ｄ'に移動することとなり、ポインタ２６のｘ方向の移動量はαｘ×（ｄ１'−ｄ１）、ｙ方向の移動量はαｙ×（ｄ２'−ｄ２）となる。
【００５２】
このようにして、「絶対位置指定モード」では、仮想タッチパッド部２７ａ上でタッチパネル式表示部１１の表示画面におけるポインタ２６の絶対位置と絶対移動量を指定することが可能である。なお、αｘとαｙは互いに異なる値であってもよいが、仮想タッチパッド部２７ａの縦横比がタッチパネル式表示部１１の表示画面の縦横比に等しく、すなわちαｘ＝αｙであることが操作性の点から望ましい。
【００５３】
図３（ｂ）は「相対位置指定モード」で仮想タッチパッド部２７ａが動作する場合を示している。図３（ｂ）は、ポインタ２６がタッチパネル式表示部１１の表示画面上の位置Ｅに表示されているときに、操作者が仮想タッチパッド部２７ａ上の位置ｅに指を触れている状況を示している。
【００５４】
また、仮想タッチパッド部２７ａにおいて、操作者の指が位置ｅ（ｅ１，ｅ２）から位置ｅ'（ｅ１'，ｅ２'）に移動した場合には、ポインタ２６は、その移動方向と平行な方向に沿って位置Ｅから位置Ｅ'に移動するようになっている。
【００５５】
ここで、仮想タッチパッド部２７ａにおける指の移動量に対するポインタ２６の移動量のｘ方向の重みづけ係数をβｘ、ｙ方向の重みづけ係数βｙとすると、ポインタ２６のｘ方向の移動量はβｘ×（ｅ１'−ｅ１）、ｙ方向の移動量はβｙ×（ｅ２'−ｅ２）となる。なお、重みづけ係数βｘ，βｙの値は、制御部１３により適宜変化させることが可能である。
【００５６】
このようにして、「相対位置指定モード」では、仮想タッチパッド部２７ａ上でタッチパネル式表示部１１の表示画面におけるポインタ２６の相対位置と相対移動量を指定することが可能である。なお、「相対位置指定モード」で仮想タッチパッド部２７ａが動作する場合は、仮想タッチパッド部２７ａの縦横比は、必ずしもタッチパネル式表示部１１の表示画面の縦横比と等しくなくてもよい。
【００５７】
また、仮想リボンコントローラ部２７ｂ，２７ｃは、例えば長手方向が画面の縦方向に平行に配置された縦方向コントローラ部２７ｂと、長手方向が画面の横方向に平行に配置された横方向コントローラ部２７ｃと、を有する。
【００５８】
縦方向コントローラ部２７ｂは、操作者により縦方向のスライド動作が行われた場合に、例えば信号生成部１４から出力される試験信号の振幅レベルを変更したり、信号解析結果１５ａを示すグラフの縦軸の表示範囲を変更したりするためのものである。
【００５９】
横方向コントローラ部２７ｃは、操作者により横方向のスライド動作が行われた場合に、例えば信号生成部１４から出力される試験信号の周波数を変えたり、信号解析結果１５ａを示すグラフの横軸の表示範囲を変更したりするためのものである。
【００６０】
なお、仮想リボンコントローラ部２７ｂ，２７ｃの上記の機能は、筐体２０に設けられたロータリノブ２４で実現されていてもよい。
【００６１】
さらに、仮想操作領域表示制御部１７ｄは、操作者の手が筐体２０に触れた状態で、タッチパネル式表示部１１の表示画面上の操作者の親指が届く範囲に、仮想操作領域２７の少なくとも一部を表示させるようになっている。
【００６２】
筐体２０は、操作者の手を置くための手置き部２０ａを有していることが好ましい。手置き部２０ａは、例えば筐体２０の上部や側面に配置され、そこに手を置く旨の表示や、手を置きやすくするための窪みが形成されているとよい。あるいは、手置き部２０ａとして、筐体２０の把手２０ｂが利用されてもよい。
【００６３】
図４に示すように、手置き部２０ａに操作者の手が触れている点を中心Ｐとすると、中心Ｐから親指の先端までの距離を半径とした円Ｃと筐体２０の前面との重なり領域が定義できる。この円Ｃは、中心Ｐを軸として手を回転させた場合の親指の先端の軌跡を示している。円Ｃの半径は、操作者の手の大きさ、手置き部２０ａへの手の接触位置や親指の関節の曲げ角度などによって変化する。
【００６４】
仮想操作領域２７と、使用頻度の高いハードキー又はソフトキーは、標準的な大きさの手で容易に実現可能な円（例えば図４の円Ｃ'）による重なり領域に含まれることが望ましい。これにより、操作者の手が手置き部２０ａに触れた状態で、操作者の親指が届く範囲に、仮想操作領域２７の全てと、使用頻度の高いハードキー又はソフトキーが含まれることになる。
【００６５】
なお、図４は手置き部２０ａが筐体２０の右側上部に配置されている例を示しているが、手置き部２０ａの位置はこれに限定されない。例えば、手置き部２０ａが筐体２０の右側に配置されている場合には、右利きの操作者が使いやすく、手置き部２０ａが筐体２０の左側に配置されている場合には、左利きの操作者が使いやすい構成となる。
【００６６】
なお、仮想操作領域表示制御部１７ｄは、例えば特定のソフトキー又は特定のハードキーが押下されたことを条件として、手置き部２０ａ又はそれ以外の筐体２０の箇所において操作者の手が触れている位置に応じて、仮想操作領域２７の表示位置や表示サイズを変更したり、仮想操作領域２７の表示のオン／オフを切り替えたりすることができるようになっていることが望ましい。
【００６７】
例えば図５に示すように、仮想操作領域２７は、例えばタッチパネル式表示部１１の表示画面の四隅のいずれか（ａ）、上側あるいは下側（ｂ）、右側あるいは左側（ｃ）に表示される。既に述べたように、仮想操作領域２７の表示位置は上記の位置に固定されるとは限らない。
【００６８】
仮想操作領域２７は、常時表示されている場合には、縁（境界線）以外の大部分が透明あるいは少なくとも半透明で表示され、主表示制御部１７ａにより表示された信号解析結果１５ａを隠さないようにすることが望ましい。
【００６９】
一方、仮想操作領域２７の大部分が不透明に表示される場合には、主表示制御部１７ａ及び選択可能領域表示制御部１７ｂは、信号解析結果１５ａや選択可能領域２８〜３０の表示が仮想操作領域２７と重ならないように、それらの表示位置や表示サイズを設定するようになっていてもよい。
【００７０】
以下、図２，４を参照しながら、本実施形態の測定装置１を用いた測定方法について説明する。
【００７１】
まず、図２の状態において、選択可能領域表示制御部１７ｂは、操作者のタッチパネル式表示部１１に対するタッチ操作により選択可能なソフトキーなどの選択可能領域２８〜３０をタッチパネル式表示部１１の表示画面に表示させる（選択可能領域表示段階）。
【００７２】
次に、ポインタ表示制御部１７ｃは、選択可能領域２８〜３０を選択するためのポインタ２６をタッチパネル式表示部１１の表示画面に表示させる（ポインタ表示段階）。
【００７３】
そして、仮想操作領域表示制御部１７ｄは、ポインタ２６を移動させて選択可能領域２８〜３０を選択するための仮想操作領域２７を、タッチパネル式表示部１１の表示画面内の外周部分に表示させる（仮想操作領域表示段階）。
【００７４】
次に、図４に示すような操作者の仮想操作領域２７に対する操作により、被試験デバイス１００に対する測定を開始する制御信号が制御部１３から信号生成部１４及び信号解析部１５に出力される。このとき、操作者は仮想操作領域２７の仮想タッチパッド部２７ａを操作することにより、手を手置き部２０ａから移動させることなく、例えば測定開始を指示するためのソフトキーを押下することが可能である。
【００７５】
また、操作者の仮想操作領域２７に対する操作により、測定項目が適宜設定されたり、信号解析結果１５ａを示すグラフの表示範囲の数値が変更されたりしてもよい。このとき、操作者は仮想操作領域２７の仮想リボンコントローラ部２７ｂ，２７ｃを操作することにより、手を手置き部２０ａから移動させることなく、表示項目の選択や設定の変更を行うことが可能である。
【００７６】
以上説明したように、本実施形態によれば、タッチパネル式表示部の表示画面内の外周部分にポインタを移動させるための仮想操作領域が表示されるため、操作者の手の移動距離を最短にし、操作感を向上させるとともに、操作による疲労を軽減することが可能な測定装置を実現できる。
【００７７】
また、本実施形態によれば、操作者の手が筐体の特定の箇所（手置き部など）にほぼ固定された状態で、親指のみで各種操作を行うことが可能となる。特に、使用頻度の高いハードキー又はソフトキーの近傍に仮想操作領域が表示されることにより、親指のみで主要な機能を実行することが可能となる。
【００７８】
また、本実施形態によれば、通常のマウスやロータリノブの機能をタッチパネル上で実現することができる。さらに、筐体上にタッチパッドやロータリノブを設ける必要がなくなるため、筐体前面のタッチパネル式表示部以外の領域の面積を減少させて、小型の測定装置を実現することもできる。
【００７９】
さらに、本実施形態によれば、タッチパネル式表示部の表示画面が載置面に対して傾斜していないため、タッチパネル式表示部に可動部を持たせることなく強固に筐体に組み込むことが可能となるとともに、筐体の前方に傾斜に起因する余分なスペースを生じさせることがない。
【符号の説明】
【００８０】
１  測定装置
１１  タッチパネル式表示部
１１ａ  タッチパネル
１２  入力部
１３  制御部
１４  信号生成部
１５  信号解析部
１６  入出力部
１６ａ，１６ｂ  端子
１７  表示制御部
１７ａ  主表示制御部
１７ｂ  選択可能領域表示制御部
１７ｃ  ポインタ表示制御部
１７ｄ  仮想操作領域表示制御部
２０  筐体
２０ａ  手置き部
２０ｂ  把手
２１  ファンクションキー
２２  カーソルキー
２３  テンキー
２４  ロータリノブ
２６  ポインタ
２７  仮想操作領域
２７ａ  仮想タッチパッド部
２７ｂ  縦方向コントローラ部（仮想リボンコントローラ部）
２７ｃ  横方向コントローラ部（仮想リボンコントローラ部）
２８  ソフトキー（選択可能領域）
２９  テキストボックス（選択可能領域）
３０  プルダウンメニュー（選択可能領域）
１００  被試験デバイス
【図１】
2015176582.tif 000003
【図２】
2015176582.tif 000004
【図３】
2015176582.tif 000005
【図４】
2015176582.tif 000006
【図５】
2015176582.tif 000007